【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
以下の構成物質から構成される成形材料の使用であって、
目的通りに使用する過程で、
少なくとも加工される成形材料の領域が、本質的に直接飲料水に曝される、飲料水用の成形品、特に、容器又は導管を、製造するための使用：
（Ａ）  （Ａ１）及び（Ａ２）を含む、３０〜１００質量％のポリアミド混合物；
（Ａ１）  ５０〜９５質量％の脂肪族半結晶ホモポリアミド若しくは脂肪族半結晶コポリアミド、又は、これらのポリアミドの混合物、
（Ａ２）  ５〜５０質量％の透明ホモポリアミド若しくは透明コポリアミド、又は、これらのポリアミドの混合物、
及び、
（Ｂ）  ０〜７０質量％のフィラー及び強化剤（助剤及び添加剤を含んでもよい）。
【請求項２】
構成成分（Ａ１）が、
メチレン／アミド比が５〜１２、好ましくは７〜１２である、少なくとも１種のポリアミド又はコポリアミドを含む、請求項１に記載の使用。
【請求項３】
構成成分（Ａ１）が、
ＰＡ６、ＰＡ８、ＰＡ１０、ＰＡ１１、ＰＡ１２、ＰＡ６６、ＰＡ１２１２、ＰＡ４６、ＰＡ６９、ＰＡ６１０、ＰＡ６１１、ＰＡ６１２、ＰＡ６１４、ＰＡ８１０、ＰＡ８１２、ＰＡ１０１０、ＰＡ１０１２、ＰＡ１２１０、ＰＡ１０１４、ＰＡ１０１８、ＰＡ１２１４若しくはＰＡ１２１８、又は、これらの混合物であり、
好ましくは構成成分（Ａ１）が、ＰＡ１２である、請求項１又は２に記載の使用。
【請求項４】
構成成分（Ａ２）が、
脂肪族の、脂環式の、又は、芳香族の、
ジアミン、ジカルボン酸、ラクタム、及び／又は、アミノカルボン酸（好ましくは、６〜４０個の炭素原子、特に好ましくは８〜３６個の炭素原子を有する）をベースとした透明ポリアミドであるか、
又は、
これらのホモポリアミド及び／又はコポリアミドの混合物である、請求項１〜３のいずれかに記載の方法。
【請求項５】
脂環式のジアミンが、
ＭＡＣＭ、ＭＸＤＡ、ＩＰＤ、及び／又は、ＰＡＣＭ（付加置換基を含んでいても含まなくてもよい）である、請求項４に記載の使用。
【請求項６】
脂肪族のジカルボン酸が、
直鎖状で、又は、分岐状で、２〜３６個の炭素原子、好ましくは８〜２０個の炭素原子、特に好ましくは１０、１２、１４、１６又は１８個の炭素原子を有する、脂肪族のジカルボン酸である、請求項４又は５に記載の使用。
【請求項７】
構成成分（Ａ２）の透明ポリアミドが、
ＭＸＤＩ、ＭＸＤＩ／６１、ＭＸＤ６／ＭＸＤＩ、ＭＡＣＭ１２、ＭＡＣＭ１４、ＭＡＣＭ１６、ＭＡＣＭ１８、ＰＡＣＭ１２、ＰＡＣＭ１４、ＰＡＣＭ１６、ＰＡＣＭ１８の群から選択されるホモポリアミド、
及び／又は、
ＭＡＣＭ１２／ＰＡＣＭ１２、ＭＡＣＭ１４／ＰＡＣＭ１４、ＭＡＣＭ１６／ＰＡＣＭ１６、ＭＡＣＭ１８／ＰＡＣＭ１８、ＭＡＣＭ９〜１８、ＰＡＣＭ９〜１８、ＭＡＣＭＩ／１２、６Ｉ／６Ｔ／ＭＡＣＭＩ／ＭＡＣＭＴ／１２、３−６Ｔ、６Ｉ／６Ｔ、ＴＭＤＴ、６Ｉ／ＭＡＣＭＩ／ＭＡＣＭＴ、６Ｉ／ＰＡＣＭＩ／ＰＡＣＭＴ、ＭＡＣＭＩ／ＭＡＣＭＴ／１２、６Ｉ／６Ｔ／ＭＡＣＭＩ、ＭＡＣＭＩ／ＭＡＣＭ３６、６Ｉ、１２／ＰＡＣＭＩ、１２／ＭＡＣＭＴ、６Ｉ／ＰＡＣＭＴ、６／６Ｉ、６／ＩＰＤＴの群から選択されるコポリアミド、
又は、これらのポリアミドの混合物であり；
又は、
構成成分（Ａ２）の透明ポリアミド（特に、アモルファス又は微晶質のホモポリアミド及び／又はコポリアミドの形態）が、
１．３〜２．０、特に好ましくは１．４０〜１．８５の溶液粘度（ηrel）、及び／又は、９０℃より高い、好ましくは１１０℃より高い、特に好ましくは１３０℃より高いガラス転移温度Ｔgを有し；
又は、
透明ポリアミドが、
４〜４０Ｊ／ｇの範囲、特に４〜２５Ｊ／ｇの範囲の融解エンタルピーを有する、微晶質ポリアミド及び／又は微晶質コポリアミドである、請求項４〜６のいずれかに記載の使用。
【請求項８】
構成成分（Ａ２）の透明ポリアミドが、
ＭＡＣＭ１２−１８、好ましくはＭＡＣＭ１２、ＭＡＣＭ１４及び／又はＭＡＣＭ１８、及び／又は、ＭＡＣＭＩ／１２及び／又はＰＡＣＭ１２／ＭＡＣＭ１２及び／又はＭＡＣＭＩ／ＭＡＣＭＴ／１２及び／又は６Ｉ／６Ｔである、請求項１〜７のいずれかに記載の使用。
【請求項９】
成形品が、
高温、好ましくは６０℃より高い温度での飲料水の保存又は輸送用のものであり、
その場合、第７回目の抽出における溶存有機炭素の総濃度が、好ましくは１２．５ｍｇＣ／ｍ2ｄの値を超えない；
又は
成形品が、
８０℃より高い温度、好ましくは、８５℃±２℃より高い温度での飲料水の保存又は輸送用のものであり、
その場合、第７回目の抽出における溶存有機炭素の総濃度が、特に好ましくは１２．５ｍｇＣ／ｍ2ｄの値を超えない、
請求項１〜８のいずれかに記載の使用。
【請求項１０】
構成成分（Ａ）が、
好ましくは、架橋添加剤を添加して、又は、添加しないで、特に放射線誘導架橋で、少なくとも部分的に架橋され、
ここで、架橋添加剤は、好ましくはＴＡＩＣ、及び／又は、ＴＭＰＴＭＡ、及び／又は、ＴＭＰＴＡであり、特に、１〜５％の範囲の割合である、請求項１〜９のいずれかに記載の使用。
【請求項１１】
構成成分（Ｂ）が、
好ましくは、ガラス繊維、カーボン繊維、ボロン繊維、アラミド繊維、及び玄武岩繊維の群から選択される強化剤から、
主に、好ましくは本質的に、形成され；
又は、
構成成分（Ｂ）が、
ポリアミド成形材料の１０〜６５質量％、特に、１５〜６０質量％の範囲、好ましくは、少なくとも２０質量％を構成し、
この割合は、好ましくは、ガラス繊維単独で形成され；
又は、
さらなる強化剤が、ガラス繊維に加えて、０〜３０質量％の割合で存在する、請求項１〜１０のいずれかに記載の使用。
【請求項１２】
構成成分（Ｂ）が、
以下の群及びこの群からの要素の混合物から選択される、フィラー（表面処理済みの形態であってもよい）を更に含む、請求項１〜１１のいずれかに記載の使用：
タルク、雲母、シリケート、石英、二酸化チタン、ケイ灰石、カオリン、アモルファスシリカ、炭酸マグネシウム、水酸化マグネシウム、チョーク、生石灰、長石、硫酸バリウム、固体ガラスビーズ、中空ガラスビーズ、すりガラス、特に、つやなしのすりガラス繊維、永久磁石、及び、磁化可能な金属化合物及び合金。
【請求項１３】
構成成分（Ａ１）が、
１．５〜３．０のηrel範囲、好ましくは１．６〜２．６のηrel範囲、特に１．６〜２．０のηrel範囲の溶液粘度を有する、ＰＡ１２である、請求項１〜１２のいずれかに記載の使用。
【請求項１４】
構成成分（Ａ１）中で使用されるポリアミドが、
釣合った末端基比を有するか、又は、
カルボキシル末端基が過剰に存在する（ここで、アミノ末端基の濃度は、好ましくは５〜７０ｍｍｏｌ／ｋｇの範囲、更に好ましくは５〜５０ｍｍｏｌ／ｋｇの範囲、特に５〜３０ｍｍｏｌ／ｋｇの範囲であり、及び／又は、カルボキシル末端基の濃度は、好ましくは５０〜１５０ｍｍｏｌ／ｋｇの範囲、更に好ましくは６０〜１２０ｍｍｏｌ／ｋｇの範囲、最も好ましくは６０〜９０ｍｍｏｌ／ｋｇの範囲である）、請求項１〜１３のいずれかに記載の使用。
【請求項１５】
ポリアミド成形材料が、
最大０．５質量％の更なる添加剤、好ましくは安定化添加剤を含む、請求項１〜１４のいずれかに記載の使用。
【請求項１６】
構成成分（Ａ）が、３０〜９０質量％の範囲で存在し、構成成分（Ａ１）が、６５〜８５質量％の範囲で、特に好ましくはＰＡ１２の形態で存在し、構成成分（Ａ２）が、１５〜３５質量％の範囲で、特に好ましくはＭＡＣＭ１２−１８又はＭＡＣＭＩ／１２又はＭＡＣＭＩ／ＭＡＣＭＴ／１２の形態で存在し、
存在する構成成分（Ｂ）が、１０〜７０質量％のフィラー及び強化剤で、特に好ましくは、ガラス繊維の形態であり、
更に０〜１０質量％の助剤を併用しても良い、
請求項１〜１５のいずれかに記載の使用。
【請求項１７】
ポリアミド成形材料中の構成成分（Ａ１）対構成成分（Ａ２）の比は、２〜５の範囲であり、好ましくは２．５〜４の範囲である、請求項１〜１６のいずれかに記載の使用。
【請求項１８】
構成成分（Ａ２）から製造される厚み２ｍｍのスラブの６００ｎｍの波長で測定される光透過率が、
少なくとも８８％であり、好ましくは少なくとも９０％である、請求項１〜１７のいずれかに記載の使用。
【請求項１９】
構成成分（Ａ２）が、微晶質及び／又はアモルファスである、請求項１〜１８のいずれかに記載の使用。
【請求項２０】
請求項１〜１９のいずれかに定義された成形材料を使用して製造される、
接極子、ハウジング、バルブ、カートリッジ、導管又は容器の形態の
高温、好ましくは８０℃かそれより高い温度領域での、飲料水の輸送及び／又は保存用の成形品。